(57)【要約】【課題】電子機器本体の表示画面が表示不能となった場合でも、当該表示画面を用いた複雑な設定操作を可能にする、装着ボードおよび電子機器を提供する。【解決手段】プリンター本体２に対し、着脱可能に構成された装着ボード３であって、プリンター本体２接続するためのプリンター用インターフェイス２３と、ボード側操作子２２と、ディスプレイ装置１２と、ディスプレイ装置１２に、プリンター本体２の操作を行うための操作画面８３を表示させると共に、当該操作画面８３にボード側操作子２２の操作結果を反映させる表示画面制御部４８と、ボード側操作子２２の操作にしたがって、プリンター本体２を制御する本体操作制御部４３と、を備えたものである。【選択図】図２
2011194781.tif 000002
【特許請求の範囲】
【請求項１】
電子機器本体に対し、着脱可能に構成された装着ボードであって、
前記電子機器本体に接続するための本体側インターフェイスと、
ボード側操作子と、
表示画面と、
前記表示画面に、前記電子機器本体の操作を行うための操作画面を表示させると共に、当該操作画面に前記ボード側操作子の操作結果を反映させる表示画面制御部と、
前記ボード側操作子の操作にしたがって、前記電子機器本体を制御する本体操作制御部と、を備えたことを特徴とする装着ボード。
【請求項２】
前記表示画面は、独立したディスプレイ装置により構成され、
前記ディスプレイ装置を接続するためのディスプレイ側インターフェイスをさたに備えたことを特徴とする請求項１に記載の装着ボード。
【請求項３】
前記ボード側操作子および前記表示画面は、独立したタッチパネル装置により構成され、前記タッチパネル装置を接続するためのパネル側インターフェイスをさらに備えたことを特徴とする請求項１に記載の装着ボード。
【請求項４】
前記電子機器本体の動作状況を示す本体動作情報を取得する本体動作情報取得部をさらに備え、
前記表示画面制御部は、前記表示画面に前記本体動作情報を表示することを特徴とする請求項１ないし３のいずれか１項に記載の装着ボード。
【請求項５】
複数の前記操作画面を表示させるための複数の操作画面データを記憶する操作画面データ記憶部をさらに備え、
前記表示画面制御部は、前記ボード側操作子の操作の仕方により、表示対象となる操作画面を可変することを特徴とする請求項１ないし４のいずれか１項に記載の装着ボード。
【請求項６】
操作者または操作内容を示す操作情報を取得する操作情報取得部をさらに備え、
前記本体操作制御部は、前記操作情報取得部により取得した操作情報に応じて、前記電子機器本体の制御を行うか否かを可変することを特徴とする請求項１ないし５のいずれか１項に記載の装着ボード。
【請求項７】
請求項１ないし６のいずれか１項に記載の装着ボードを装着可能な電子機器であって、
前記本体操作制御部の制御に基づいて、前記電子機器本体を制御する本体側制御部と、を備えたことを特徴とする電子機器。
【請求項８】
前記装着ボードから前記本体操作制御部の制御信号を受信したとき、前記電子機器本体の動作状況を判別する動作状況判別部をさらに備え、
前記本体側制御部は、前記動作状況判別部の判別結果に応じて、前記電子機器本体を制御することを特徴とする請求項７に記載の電子機器。
【発明の詳細な説明】
【技術分野】
【０００１】
本発明は、電子機器に対し、着脱可能に構成された装着ボード、および当該装着ボードが装着される電子機器に関するものである。
【背景技術】
【０００２】
従来、デジタル複合機のように、コピー機能、ファクシミリ機能等、多くの機能を有する電子機器は、表示画面が搭載され、ユーザーは、当該表示画面に表示された選択肢の中からいずれかを選択することにより、いずれかの機能を実現できるようになっている。また、各機能において、詳細な設定を行いたい場合も、当該表示画面を参照しながら操作を行っている（特許文献１参照）。
【先行技術文献】
【特許文献】
【０００３】
【特許文献１】特開２００９−１８２９０８号公報
【発明の概要】
【発明が解決しようとする課題】
【０００４】
しかしながら、このような電子機器は、表示画面に表示されるメッセージを頼りにユーザーが操作を行っているため、電子機器の表示画面に何らかの不具合が発生した場合、電子機器に対する操作ができなくなってしまう。これにより、その電子機器を用いた作業ができなくなり、作業効率の悪化を招いてしまう。
【０００５】
本発明は、電子機器の表示画面が表示不能となった場合でも、当該表示画面を用いた複雑な設定操作を可能にする、装着ボードおよび電子機器を提供することを課題とする。
【課題を解決するための手段】
【０００６】
本発明の装着ボードは、電子機器本体に対し、着脱可能に構成された装着ボードであって、電子機器本体に接続するための本体側インターフェイスと、ボード側操作子と、表示画面と、表示画面に、電子機器本体の操作を行うための操作画面を表示させると共に、当該操作画面にボード側操作子の操作結果を反映させる表示画面制御部と、ボード側操作子の操作にしたがって、電子機器本体を制御する本体操作制御部と、を備えたことを特徴とする。
【０００７】
この構成によれば、電子機器本体に何らかの異常が生じて、電子機器本体の表示画面が表示不能となった場合でも、装着ボードに備えられた表示画面に表示される操作画面に従って、電子機器本体を操作することができる。また、操作画面を表示することで、複雑な設定操作も可能となる。これにより、異常発生時であっても、電子機器本体を用いた作業の続行が可能となり、作業効率の低下を防ぐことができる。
【０００８】
この場合、表示画面は、独立したディスプレイ装置により構成され、ディスプレイ装置を接続するためのディスプレイ側インターフェイスを更に備えていることが好ましい。
【０００９】
この構成によれば、装着ボードに表示画面を搭載する必要がないため、装着ボードの小型化および低廉化を図ることができる。また、ディスプレイ装置をユーザーが見やすい適当な位置に配置することができるため、利便性が良い。
【００１０】
この場合、ボード側操作子および表示画面は、独立したタッチパネル装置により構成され、タッチパネル装置を接続するためのパネル側インターフェイスをさらに備えていてもよい。
【００１１】
この構成によれば、装着ボードに、ボード側操作子および表示画面を搭載する必要がないため、装着ボードの小型化および低廉化を図ることができる。また、タッチパネル装置をユーザーが操作しやすい適当な位置に配置することができるため、操作性の向上が期待できる。
【００１２】
この場合、電子機器本体の動作状況を示す本体動作情報を取得する本体動作情報取得部をさらに備え、表示画面制御部は、表示画面に本体動作情報を表示することが好ましい。
【００１３】
この構成によれば、装着ボードに備えられた表示画面上で、電子機器本体の現在の動作状況を確認することができる。
なお、電子機器本体の動作状況とは、電子機器本体に異常が発生しているか否か、またその異常の種類、ログ情報などを指す。
【００１４】
この場合、複数の操作画面を表示させるための複数の操作画面データを記憶する操作画面データ記憶部をさらに備え、表示画面制御部は、ボード側操作子の操作の仕方により、表示対象となる操作画面を可変することが好ましい。
【００１５】
この構成によれば、ユーザーは、ボード側操作子の操作によって、表示画面上に、所望の操作画面を表示させることができる。つまり、操作画面を切り替えることにより、多様な処理を実現することができる。
【００１６】
この場合、操作者または操作内容を示す操作情報を取得する操作情報取得部をさらに備え、本体操作制御部は、操作情報取得部により取得した操作情報に応じて、電子機器本体の制御を行うか否かを可変することが好ましい。
【００１７】
この構成によれば、取得した操作情報に応じて、電子機器本体の制御を行うか（許可するか）否かを可変することができる。例えば、操作情報から、操作者が所定の権限を有するものであると判別できた場合は、電子機器本体の制御を許可し、操作者が所定の権限を有しないと判別できた場合は、電子機器本体の制御を許可しない、などの処理が考えられる。これにより、使用者権限が与えられていない者は、電子機器本体の制御が不可能になるため、結果的にセキュリティーの強化を図ることができる。
【００１８】
本発明の電子機器は、上記した装着ボードを装着可能な電子機器であって、本体操作制御部の制御に基づいて、電子機器本体を制御する本体側制御部と、を備えたことを特徴とする。
【００１９】
この構成によれば、電子機器本体に何らかの異常が生じた場合でも、装着ボード側から操作を行うことが可能な電子機器を実現することができる。
【００２０】
この場合、装着ボードから本体操作制御部の制御信号を受信したとき、電子機器本体の動作状況を判別する動作状況判別部をさらに備え、本体側制御部は、動作状況判別部の判別結果に応じて、電子機器本体を制御することが好ましい。
【００２１】
この構成によれば、例えば、動作状況（異常発生時と、それ以外の通常時など）に応じて、電子機器本体の制御を行うか否かを可変することができる。つまり、ボード側操作子にて操作を行ったときに異常が発生している場合は、電子機器本体の制御を行い、異常が発生していない場合は、制御を行わない（ボード側での操作を無視する）、などの処理が考えられる。これにより、電子機器本体側の操作子による本体側操作と、装着ボード側のボード側操作子による操作指令との混同により、本体側操作を妨害してしまう等の問題を回避することができる。
【図面の簡単な説明】
【００２２】
【図１】第１実施形態に係るレシートプリンターの外観図である。
【図２】第１実施形態に係るレシートプリンターの制御ブロック図である。
【図３】第１実施形態に係るレシートプリンターおよびＰＯＳ端末の機能ブロック図である。
【図４】第１実施形態に係る操作画面の一例を示す図である。
【図５】第１実施形態に係る装着ボードの本体制御処理を示すフローチャートである。
【図６】第１実施形態の変形例を示す機能ブロック図である。
【図７】第２実施形態に係るレシートプリンターの機能ブロック図である。
【発明を実施するための形態】
【００２３】
以下、添付の図面を参照して、本発明の一実施形態に係る電子機器および装着ボードについて説明する。なお、本実施形態では電子機器として、スーパーマーケット等の小売店舗においてレシートを発行するレシートプリンターを例示する。
【００２４】
図１は、第１実施形態に係るレシートプリンター１の外観図である。レシートプリンター１は、ＰＯＳ（Point  Of  Sales）端末（図２参照）で処理した処理データを印刷するものであり、プリンター本体２（電子機器本体）および装着ボード３から成る。プリンター本体２は、ＰＯＳ端末から装着ボード３を介して処理データを取得し、これをレシート用紙に印刷する。また、プリンター本体２は、印刷済みのレシート５を、本体上部に設けられたレシート排出口４から排出する。
【００２５】
同図に示すように、プリンター本体２の背面（図示手前側）下部には、装着ボード３を装着するためのボード装着部６が設けられている。また、ボード装着部６の最奥部には、装着ボード３を電気的に接続するための装着ボード用インターフェイス７（以下、装着ボード用Ｉ／Ｆと記載と記載する）が設けられている。また、プリンター本体２の前面（図示奥側）には、本体側操作子３６および表示画面３５が設けられている（図２参照）。
【００２６】
一方、装着ボード３は、上記のプリンター本体２に対して着脱可能に構成され、その装着側（図示奥側）には、プリンター本体２と電気的に接続されるプリンター用インターフェイス２３（以下、プリンター用Ｉ／Ｆと記載と記載する）が設けられている。当該装着ボード３は、使用環境に応じたインターフェイス（周辺機器用インターフェイス）を提供するためのインターフェイスボードであり、上記装着側と逆側（図示手前側）の露出面には、周辺機器用インターフェイス２１として、ＵＳＢインターフェイス８，９、ディスプレイインターフェイス１０（以下、ディスプレイＩ／Ｆと記載と記載する）およびイーサネット（登録商標）インターフェイス１１が設けられている。その他、周辺機器用インターフェイス２１として、パラレルインターフェイスや無線ＬＡＮインターフェイス等を設けても良い。また、装着ボード３は、周辺機器用インターフェイス２１と同一の露出面に、ボード側操作子（スイッチ）２２を備えている。なお、露出面は、プリンター本体２に対する装着ボード３の装着によって、プリンター本体２の背面と面一となる。また、装着ボード３には、ディスプレイ装置１２がディスプレイＩ／Ｆ１０を介して接続されている。ディスプレイ装置１２は、その表示画面１３に、各種操作を行うための操作画面８３を表示する。なお、操作画面８３は、ボード側操作子２２の操作の仕方に応じてその内容が可変する。また、操作画面８３には、ボード側操作子２２の操作結果が反映される。
【００２７】
次に、図２を参照し、第１実施形態に係るレシートプリンター１の制御構成について説明する。装着ボード３は、周辺機器用インターフェイス２１（以下、周辺機器用Ｉ／Ｆと記載する）、ボード側操作子２２、プリンター用Ｉ／Ｆ２３、ＣＰＵ（Central  Processing  Unit）２４、ＲＯＭ（Read  Only  Memory）２５およびＲＡＭ（Random  Access  Memory）２６を備えている。
【００２８】
周辺機器Ｉ／Ｆ２１（ディスプレイ側インターフェイス）は、図１に示したＵＳＢインターフェイス８，９、ディスプレイＩ／Ｆ１０、イーサネット（登録商標）インターフェイス１１を指し、ＰＯＳ端末２９およびディスプレイ装置１２、その他キーボード、キャッシュドロアおよびバーコードスキャナー等のような周辺機器を接続するために用いられる。ボード側操作子２２は、装着ボード３自身に対する操作の他、プリンター本体２に対して操作を行うための操作画面８３（専用のプログラム画面）をディスプレイ装置１２に表示させるための操作を行うと共に、表示された操作画面８３の操作（カーソルの移動や、項目の決定）も行う。また、ボード側操作子２２は、ラッチ型（押下されると“０”、押下が解除されると“１”、押下され続けると“０”の状態が続くもの）の１のスイッチにより構成される。プリンター用Ｉ／Ｆ２３は、プリンター本体２と接続される専用インターフェイスであり、プリンター本体２に対して各種信号を送信する。
【００２９】
ＣＰＵ２４は、装着ボード３の統括制御を行う。ＲＡＭ２６は、ＣＰＵ２４が各種処理を実行する際のワークエリアとして用いられる。ＲＯＭ２５は、ＣＰＵ２４が各種処理を実行するための制御プログラムや制御データを記憶する。なお、以下の説明において、ＲＯＭ２５内の制御プログラムを記憶する領域を制御プログラム記憶領域２７、制御データを記憶する領域を制御データ記憶領域２８と称する。
【００３０】
一方、プリンター本体２は、ＣＰＵ３１、ＲＯＭ３２、ＲＡＭ３３、印刷機構３４、表示画面３５、本体側操作子３６および装着ボード用Ｉ／Ｆ７を備えている。ＣＰＵ３１は、プリンター本体２の統括制御を行う。ＲＯＭ３２は、ＣＰＵ３１が各種処理を実行するための制御プログラムや制御データを記憶する。ＲＡＭ３３は、ＣＰＵ３１が各種処理を実行する際のワークエリアとして用いられる。なお、これらＣＰＵ３１、ＲＯＭ３２およびＲＡＭ３３は、プリンター本体２内にＣＰＵボード３７として組み込まれている。
【００３１】
印刷機構３４は、ＰＯＳ端末２９の処理データをレシート用紙に印刷する。また、ユーザーの指令にしたがって、プリンター本体２の設定情報（通信設定、モード設定などの設定値）を出力する（印刷する）。表示画面３５は、液晶ディスプレイにより構成され、操作内容や、用紙切れなどのメッセージを表示する。また、印刷機構３４と同様に、ユーザーの指令にしたがって、プリンター本体２の設定情報を出力する（表示する）。本体側操作子３６は、電源のＯＮ／ＯＦＦ、モード切替、レシートの排出並びに設定情報の出力（印刷および／または表示）など、ユーザーが各種操作を行うために用いられる。また、本体側操作子３６は、プリンター本体２の各操作項目に対応する複数の操作子を有している。装着ボード用Ｉ／Ｆ７は、装着ボード３を接続するための専用インターフェイスであり、装着ボード３からの各種信号を受信する。
【００３２】
次に、図３を参照し、レシートプリンター１、ＰＯＳ端末２９およびディスプレイ装置１２の機能構成について説明する。ＰＯＳ端末２９は、主な機能構成として、会計処理部６１および印刷データ生成部６２を有している。会計処理部６１は、ＰＯＳアプリケーションを有し、オペレーターにより入力された商品情報に基づいて会計処理を行う。また、印刷データ生成部６２は、会計処理部６１による会計処理結果に基づいて、レシート５に印刷するための印刷データを生成する。
【００３３】
ディスプレイ装置１２は、主な機能構成として、ディスプレイ装置側制御部１４を有している。ディスプレイ装置側制御部１４は、ボード側操作子２２の操作に従って、表示画面１３の表示制御を行う。
【００３４】
装着ボード３は、主な機能構成として、印刷データ受信部４１、印刷データ送信部４２、本体動作情報取得部４６、操作画面データ記憶部４７、表示画面制御部４８および本体操作制御部４３を有している。
【００３５】
印刷データ受信部４１は、ＰＯＳ端末２９の印刷データ生成部６２にて生成された印刷データを受信する。また、印刷データ送信部４２は、受信した印刷データを、プリンター用Ｉ／Ｆ２３を介してプリンター本体２に送信する。
【００３６】
本体動作情報取得部４６は、プリンター本体２の動作状況をプリンター用Ｉ／Ｆ２３を介して取得し、表示画面制御部４８に通知する。
操作画面データ記憶部４７は、複数の操作画面８３をディスプレイ装置１２の表示画面１３に表示させるための複数の操作画面８３データを記憶している。
【００３７】
表示画面制御部４８は、表示画面１３に、プリンター本体２の操作を行うための操作画面８３を表示させると共に、当該操作画面８３に前記ボード側操作子２２の操作結果を反映させる。また、ボード側操作子２２の操作の仕方に応じて、表示対象となる操作画面８３を可変する。つまり、ボード側操作子２２の操作の仕方に応じて、操作画面データ記憶部４７に記憶されている複数の操作画面データの中から１の操作画面データを抽出し、これをディスプレイ装置１２に送信する。ここで、「ボード側操作子２２の操作の仕方」とは、スイッチの押下間隔、押下強度、押下時間、連続押下回数、プリンター本体２に搭載された本体側操作子３６との同時押下、のうち少なくとも１の要因により定義される。また、表示画面制御部４８は、ボード側操作子２２の操作の仕方により、操作内容を判別する。なお、操作画面８３の選択および操作画面８３の操作については、後に詳述する。さらに、表示画面制御部４８は、ボード側操作子２２の操作に従い、プリンター本体２の動作状況を示す本体動作情報を表示画面１３に表示させる（図４参照）。
【００３８】
本体操作制御部４３は、ボード側操作子２２の操作にしたがって、プリンター本体２を制御する。つまり、表示対象となっている操作画面データと、ボード側操作子２２の操作と、に基づく操作信号をプリンター本体２に対して送信する。
【００３９】
一方、プリンター本体２は、主な機能構成として、レシート印刷部５０、動作状況判別部５２および本体側制御部５３を有している。
【００４０】
レシート印刷部５０は、装着ボード用Ｉ／Ｆ７を介して、印刷データ送信部４２から送信された印刷データを受信し、これをレシート用紙に印刷する。
【００４１】
動作状況判別部５２は、現在のプリンター本体２の動作状況を判別する。動作状況判別部５２は、本体側操作子３６による判別指令、または装着ボード３からの判別指令に基づいて動作状況を判別する。また、装着ボード３からプリンター本体２の操作信号（本体操作制御部４３の制御信号）を受信したときにも、動作状況を判別する。なお、動作状況としては、プリンター本体２に異常が発生しているか否か、またその異常の種類、ログ情報などを判別する。
【００４２】
本体側制御部５３は、本体側操作子３６による操作信号、または装着ボード３からの操作信号に基づいてプリンター本体２の操作制御を行う。但し、装着ボード３から操作信号を受信した場合は、上記の動作状況判別部５２の判別結果に応じて操作制御を行う。具体的には、装着ボード３から操作信号を受信したときにプリンター本体２に異常が発生している場合は、装着ボード３からの操作信号をプリンター本体２側の操作信号と同様に扱い（操作信号を受け付け）、異常が発生していない場合は、装着ボード３からの操作信号に従わない（操作信号を無視する）、といった処理を行う。これにより、プリンター本体２側の本体側操作子３６による本体側操作と、装着ボード３側のボード側操作子２２による操作指令との混同により、本体側操作を妨害してしまうなどの問題を回避することができる。
【００４３】
次に、図４を参照し、装着ボード３によるプリンター本体２の操作について説明する。同図は装着ボード３のボード側操作子２２によるプリンター本体２の操作を行う表示画面１３の一例を示す図である。表示画面１３は、プリンター本体情報領域９１と、操作画面項目領域９２と、操作画面領域（操作画面）８３とから成る。プリンター本体情報領域９１は、プリンター本体２の動作状況を示す本体動作情報８５および、装着ボード３からの操作指令の進捗状況８６が表示される。これらは、ディスプレイ装置１２が接続されている状態において、ボード側操作子２２の操作を必要とすること無く常に表示される内容である。
【００４４】
操作画面項目領域９２は、操作画面８３の項目名すなわち操作画面項目が表示されおり、操作対象に該当する操作画面を選択するための領域である。選択方法については後述する。
操作画面領域（操作画面）８３は、操作画面項目領域９２に表示されている操作画面項目の中から、選択された操作画面８３が表示される領域であり、操作項目９３および、ヘルプ９４が表示される。操作項目９３は、選択した操作画面８３ごとに、実行する操作の項目が表示される。ヘルプ９４は現在選択されている操作項目９３の操作内容についての説明が表示される。
【００４５】
同図に示すように、まずボード側操作子２２の押下（短押）する回数によって、操作画面項目領域９２に表示される項目の中から、ディスプレイ装置１２に表示させる操作画面８３の項目選択を行う。同図の例では、ボード側操作子２２の押下ごとにカーソル８２が移動してゆき、ボード側操作子２２の短押１回で「印刷操作画面」、短押２回（連続２回押下）で項目「本体設定画面」、短押３回で項目「セーフモード画面」にカーソル８２が移動する（Ａ０１）。また、ボード側操作子２２をさらに押下するごとにカーソル８２は「印刷操作画面」、「本体設定画面」・・・と移動してゆく。
ここで、「印刷操作画面」とは、プリンター本体２の印刷機能に係る操作を行うための操作画面である。「本体設定画面」とは、プリンター本体２の各種設定操作(データ転送レートの変更等)を行うための操作画面である。「セーフモード画面」とは、プリンター本体２のセルフチェック(自己診断)機能等の操作を行うための操作画面である。
【００４６】
なお、ボード側操作子２２が押下されると、ディスプレイ装置１２に、現在選択されている操作画面８３が表示される。また、ボード側操作子２２の長押(１秒以上押下)によって、選択されている操作画面項目（カーソル８２が合わさっている操作画面項目）が決定される。操作画面項目が決定されたとき、操作画面８３には操作項目９３が表示される。
【００４７】
例えば、「印刷操作画面」の項目が選択されている（カーソル８２が合わさっている）状態で、ボード側操作子２２が長押されると（Ａ０２）、「印刷操作画面」すなわち印刷機能に係る操作を行うための印刷操作画面が操作画面８３に表示される。
ここでもボード側操作子２２の押下ごとにカーソル８４が移動してゆく。同図の例では、ボード側操作子２２の短押１回で「印刷データ印刷」（プリンター本体２に残っている印刷データ（ジョブ）の印刷）、短押２回で「印刷設定」（印字カラーやフォントなど印刷に係る設定）、短押３回で「チェック印刷」（現在の設定による印刷テスト）、短押４回で「用紙送り」（印刷用紙を送る操作）、短押５回で「戻る」（操作画面項目領域９２に戻る）の項目にカーソル８４が移動する。また、ボード側操作子２２をさらに押下するごとにカーソル８４は「印刷データ印刷」、「印刷設定」・・・と移動してゆく（０３）。
また、ここで選択されている（カーソル８４が合わさっている）操作項目９３については、ヘルプ９４が表示され、操作項目９３の操作内容についての説明が表示される。
ここで、例えば「印刷データ印刷」が選択されている（カーソル８４が合わさっている）状態で、ボード側操作子２２が長押されると（Ａ０４）、現在プリンター本体２に残っている印刷データを印刷させるための操作信号をプリンター本体２に対して送信する。
このように、１のスイッチであるボード側操作子２２の操作の仕方によって、操作画面８３や操作項目９３の選択を実現できる。また、操作画面８３を表示するため、ユーザーは当該操作画面８３を参照しながら操作を行うことができ、ひいては複雑な設定操作も容易に行うことができる。また、操作画面８３には、操作方法が表示されているため、初心者であっても支障なく操作を行うことができる。
【００４８】
次に、図５のフローチャートを参照し、装着ボード３の指令によるプリンター本体２の制御処理の手順について説明する。なお、プリンター本体２では異常が発生しており、本体側操作子３６および表示画面３５の少なくとも一方が使用できなくなっているものとする。なお、このような事象は、ユーザーの誤った操作（ヒューマンエラー）や、プリンター本体２内の制御基板がハングしていたりする場合に起こり得る。
【００４９】
まず、装着ボード３は、ユーザーによるボード側操作子２２（スイッチ）の操作入力に基づいて（Ｓ０１）、操作画面８３を選択する（Ｓ０２）。また、選択した操作画面８３を表示画面制御部４８によりディスプレイ装置１２に表示させる（Ｓ０３）。次に、ボード側操作子２２による操作画面８３の操作に従い（Ｓ０４）、操作内容（入力結果）を表示画面制御部４８により、ディスプレイ装置１２に表示させる（反映させる，Ｓ０５）。その後、Ｓ０１〜Ｓ０４の操作結果に基づいて、本体操作制御部４３がによりプリンター本体２に対して操作信号を送信する（Ｓ０６）。
【００５０】
一方、プリンター本体２は、装着ボード３から操作信号を受信すると、動作状況を判別し（Ｓ０７）、判別した動作状況に応じて、操作信号の受付が可能であるか否かを判別する（Ｓ０８）。操作信号の受付が可能であると判別した場合（Ｓ０８：Ｙｅｓ）、プリンター本体２は装着ボード３からの操作信号に従って、操作を実行する（Ｓ０９）。また、操作信号の受付が可能でないと判別した場合は（Ｓ０８：Ｎｏ）、操作を実行しない（操作信号を無視する）。その後、プリンター本体２の動作状況を装着ボード３に送信する（Ｓ１０）。表示画面制御部４８は、受信した動作状況に基づき、本体動作情報をディスプレイ装置１２に表示する（Ｓ１１）。
【００５１】
以上説明したとおり、第１実施形態によれば、プリンター本体２に何らかの不具合が発生し、本体側操作子３６による操作が不能となり、さらに本体の表示画面３５に各種情報の表示ができなくなった場合でも、装着ボード３に設けられている、ボード側操作子２２からの操作およびディスプレイ装置１２に表示された操作画面８３によってプリンター本体２の操作が可能となる。また、ディスプレイ装置１２に操作画面８３を表示することで、複雑な設定操作も可能となる。すなわち、プリンター本体２の操作ができなくなることによる作業効率の悪化を防止することが可能となる。
【００５２】
また、本実施形態のように、装着ボード３のボード側操作子２２を１のスイッチにより構成し、スイッチの操作の仕方を変えることにより複数の操作項目についての操作を実現でき、装着ボード３の小型化を図ることができ、ひいてはレシートプリンター１の小型化を図ることができる。
【００５３】
また、本実施形態において、装着ボード３は、ＵＳＢインターフェイス８，９、ディスプレイＩ／Ｆ１０およびイーサネット（登録商標）インターフェイス１１といった複数の周辺機器用Ｉ／Ｆ２１を備えることで、同時にプリンター本体２に対しても周辺機器を利用する環境を提供することができる。これにより、例えば動作状況を出力する際に、装着ボード３に備えられているディスプレイ装置１２からのみではなく、周辺機器用Ｉ／Ｆ２１を経由したメール、電話、ＦＡＸ等の周辺機器と連係することによる多様な通信手段を利用することができる。
【００５４】
また、本実施形態において、プリンター本体２が動作状況判別部５２を備え、現在のプリンター本体２の動作状況を判別すると共に、その判別結果に応じて、本体側制御部５３が操作処理を行うため、プリンター本体２側の本体側操作子３６による本体側操作と、装着ボード３側のボード側操作子２２による操作指令との混同することがない。これにより、本体側操作を妨害してしまうなどの問題を回避することができる。さらに、ディスプレイ装置１２によって本体動作情報を表示できるため、表示画面３５に異常が発生した場合でも、ディスプレイ装置１２の表示画面上で、プリンター本体２の現在の動作状況を確認することができる。
【００５５】
なお、上記の実施形態では、ボード側操作子２２（１のスイッチ）の連続押下回数および押下時間によって、各項目を選択したが、押下間隔、押下強度、プリンター本体２に搭載された本体側操作子３６との同時押下、などの違いにより、各項目を選択可能としても良い。
【００５６】
また、上記の実施形態では、装着ボード３のボード側操作子２２を１のスイッチにより構成したが、本体側操作子３６と同様に、操作項目に対応する複数の操作子により構成しても良い。また、操作性を向上させるため、装着ボード３本体からスイッチを有線で引き出せる構成にしたり、装着ボード３に、キーボードやマウス、タッチパネル等を接続可能な構成にしても良い。
【００５７】
また、上記の実施形態において、プリンター本体２の本体側制御部５３は、異常が発生しているか否かに応じて操作制御を行ったが、異常が発生しているか否かだけでなく、その異常の種類やログ情報に応じて、操作を行うか否かを決定しても良い。例えば、ボード側操作子２２の同じ操作であっても、印刷機構３４の障害のような比較的軽度な障害の発生時には、セーフモード操作画面を選択できず、その他の致命的な障害が発生している場合は、セーフモード操作画面を選択可能とする、などの制御が考えられる。また、異常の種類やログ情報に応じて、実行可能な操作信号を制限しても良い。
【００５８】
また、必要に応じて周辺機器用Ｉ／Ｆにキーボードやタッチパネル装置１５を接続可能としても良い。例えば、上記の図３における第１実施形態では、装着ボード３にディスプレイ装置１２が接続される構成としたが、ディスプレイ装置１２の代わりにタッチパネル装置１５を接続し、タッチパネル装置１５を表示画面１３およびボード側操作子２２の一部として用いても良い。
【００５９】
図６は、第１実施形態に係るディスプレイ装置１２の代わりに、タッチパネル装置１５を用いた機能ブロック図である。
タッチパネル装置１５は、主な機能構成として、タッチパネル画面制御部１６と、タッチパネル情報入力部１７を有している。タッチパネル画面制御部１６は、ディスプレイ装置１２のディスプレイ装置側制御部１４と同様に機能し、タッチパネル情報入力部１７はボード側操作子２２に代わる入力端末として機能する。これにより、基本構成は図３と同様であるが、タッチパネル装置１５が接続されたことで、図４における操作画面８３において、ユーザーが操作画面８３を見ながら直接入力することが可能となるため、操作性が向上し、より利便性が増す。
【００６０】
次に、図７を参照し、本発明の第２実施形態について説明する。上記の第１実施形態では、装着ボード３にＰＯＳ端末２９が接続される構成としたが、装着ボード３をＰＯＳ端末として機能させても良い。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００６１】
図７は、第２実施形態に係るレシートプリンター１の機能ブロック図である。本実施形態のレシートプリンター１は、第１実施形態（図２参照）と比較して、装着ボード３から印刷データ受信部４１が省略され、会計処理部６１、印刷データ生成部６２および操作情報取得部４５が追加された構成となっている。会計処理部６１は、ＰＯＳアプリケーションを主要部として会計処理を行う。また、印刷データ生成部６２は、会計処理部６１による会計処理結果に応じて、レシートに印刷するための印刷データを生成する。このように、装着ボード３内をＰＯＳ端末２９として機能させることに伴い、ＰＯＳ端末２９を接続するためのインターフェイスが省略され、代わりに、会計処理用のキーボード７０を接続するためのインターフェイスが必要となる。また、イーサネット（登録商標）インターフェイス１１を経由してＰＯＳサーバーと通信可能となっている。さらに、装着ボード３の操作情報取得部４５は、後述する操作情報入力部７２の入力結果を取得し、本体操作制御部４３に出力する。
【００６２】
一方、キーボード７０は、商品情報入力部７１および操作情報入力部７２を有している。商品情報入力部７１は、オペレーターが商品情報を入力するために用いられる。装着ボード３の会計処理部６１は、商品情報入力部７１により入力された商品情報に基づいて、ＰＯＳサーバー内の商品マスタを参照し、商品データを取得する。操作情報入力部７２は、操作者または操作内容を示す操作情報を入力する。具体的には、キーボード７０に設けられた鍵（図示省略）の位置により操作情報を入力する。この鍵は、「店員」、「管理者」、「教育」および「精算」のいずれかの位置に合わせることができる。つまり、一般的な店員が操作する場合は、「店員」に位置合わせし、店長やマネージャーなどが操作する場合は「管理者」に位置合わせする。また、オペレーター教育のために用いる場合は「教育」に位置合わせし、精算時の処理を行う場合は「精算」に位置合わせする。
【００６３】
上記の構成により、本実施形態の本体操作制御部４３は、操作情報取得部４５により取得した操作情報に応じて、操作信号を出力するか否かを可変する。具体的には、鍵が「管理者」に位置合わせされた場合のみ、操作信号を出力する。これにより、管理者以外の者による操作を阻止することができる。
【００６４】
以上説明したとおり、第２実施形態によれば、取得した操作情報に応じて、操作を行うか否かを可変する。つまり、操作情報から、操作者が所定の権限を有するものであると判別できた場合は、操作を行い、操作者が所定の権限を有しないと判別できた場合は、操作を行わないため、使用者権限が与えられていない者は、プリンター本体２の操作が不可能となり、結果的にセキュリティーの強化を図ることができる。
【００６５】
なお、上記の実施形態では、キーボード７０の鍵の位置に基づいて操作情報を取得したが、操作者を特定できるＩＤカード等を読み取ることによって、操作情報を取得しても良い。
【００６６】
なお、上記実施形態において、ディスプレイ装置１２の代わりに、ＰＯＳ用のカスタマディスプレイを用いて、会計処理結果と同時に操作画面８３を表示可能としても良い。これにより、装着ボード３による操作を行う際に、新たにディスプレイ装置１２を接続する必要がなくなるため、ディスプレイ装置１２を用意する手間を省くことができると共に、スペースを確保する必要もない。
【００６７】
また、Ｉ／Ｆを介してディスプレイ装置１２やタッチパネル装置１５を接続するのではなく、装着ボード３のボード本体に表示画面を設けても良い。この構成によれば、プリンター本体２と装着ボード３だけで本発明を実現することができ、システム構成を簡素化することができる。
【００６８】
以上、２つの実施形態を示したが、本発明は、レシートプリンター１以外の電子機器にも適用可能である。例えば、レシートプリンター以外のプリンター、表示装置、プロジェクターなど、本体側操作子を有する電子機器が考えられる。
【００６９】
また、上記の各実施形態に示したレシートプリンター１（プリンター本体２または装着ボード３）の各部をプログラムとして提供することが可能である。また、そのプログラムを記録媒体（図示省略）に格納して提供することも可能である。すなわち、コンピューターを、本実施形態のプリンター本体２または装着ボード３の各部として機能させるためのプログラム、およびそれを記録した記録媒体も、本発明の権利範囲に含まれる。その他、本発明の要旨を逸脱しない範囲で、適宜変更が可能である。
【符号の説明】
【００７０】
１：レシートプリンター、  ２：プリンター本体、  ３：装着ボード、  １２：ディスプレイ装置、  ２２：ボード側操作子、  ４３：本体操作制御部、  ４６：本体動作情報取得部、  ４７：操作画面データ記憶部、  ４８：表示画面制御部、  ５１：動作状況出力部、  ５２：動作状況判別部、  ５３：本体側制御部
【図１】
2011194781.tif 000003
【図２】
2011194781.tif 000004
【図３】
2011194781.tif 000005
【図４】
2011194781.tif 000006
【図５】
2011194781.tif 000007
【図６】
2011194781.tif 000008
【図７】
2011194781.tif 000009